(57)【特許請求の範囲】
【請求項１】
ルート検索部を備えたナビ管理制御部と、地図情報管理データベースと会員管理データベースと施設検索データベースを格納する記憶装置とを備えてインターネット上に開設されるナビゲーション管理サーバの情報提供方法であって、
前記ナビゲーション管理サーバは、通信回線を介して接続されるモバイル端末から、認証番号とスタート地点の座標位置に基くアクセスを受け付けて、複数の目的地の検索条件を入力する検索入力画面を前記モバイル端末に出力し、
前記検索入力画面に入力された検索条件でのエリア検索を受け付けて、前記検索条件に合致する、特定のエリア内において複数の施設が隣接している目的地エリア候補を抽出し、
前記検索条件に、前記施設に到達するための到達時間範囲が指定されると、
前記ナビゲーション管理サーバは、前記目的地エリア候補までの移動体による所要乗車時間とその後の徒歩による所要移動時間とに応じて、前記目的地エリア候補の領域の大きさを、前記目的地エリア候補毎に前記特定のエリアとして設定し、前記検索条件に合致する複数の施設が設定された当該特定のエリアに隣接する場合に、前記目的地エリア候補として抽出し、  
前記抽出した目的地エリア候補が、当該目的地エリア候補へのルート情報とともに地図上にマッピングされた検索出力画面を生成し、この生成された検索出力画面を前記モバイル端末に出力する
ことを特徴とするナビゲーション管理サーバの情報提供方法。
【請求項２】
前記請求項１記載のナビゲーション管理サーバの情報提供方法において、
前記検索条件には、スタート位置を中心に東西南北の４方面の１つを検索対象とする方面設定部が含まれており、前記ナビゲーション管理サーバは、前記検索条件を受け付けると、スタート位置を基点に、東西南北に当分割する方位分割線を仮想的に算出し、前記検索条件で設定される１つの指定方面領域に合致する目的地を抽出する
ことを特徴とするナビゲーション管理サーバの情報提供方法。
【請求項３】
前記請求項２記載のナビゲーション管理サーバの情報提供方法において、
前記検索出力画面は、スタート位置を中心に、方位分割線で分割される東西南北の４方面を表示し、指定した前記指定方面領域に抽出した目的地エリア候補が表示されている
ことを特徴とするナビゲーション管理サーバの情報提供方法。
【請求項４】
前記請求項２または３記載のナビゲーション管理サーバの情報提供方法において、
前記ナビゲーション管理サーバは、前記到達時間範囲と前記指定方面領域とを組み合わせて、ある特定の領域に含まれる目的地エリア候補を抽出する
ことを特徴とするナビゲーション管理サーバの情報提供方法。
【請求項５】
前記請求項３記載のナビゲーション管理サーバの情報提供方法において、
前記検索出力画面は、前記方位分割線をスタート位置を基点に回転させて前記指定方面領域の範囲を変更することができる
ことを特徴とするナビゲーション管理サーバの情報提供方法。
【発明の詳細な説明】
【技術分野】
【０００１】
本発明は、複数の目的地候補を含むエリア検索に最適なナビゲーション管理サーバの情報提供方法に関するものである。
【背景技術】
【０００２】
近年、ＧＰＳ機能により移動体の位置を確認して、この移動体の位置を地図上に表示するナビゲーションシステムが広く普及している。特に、カーナビと呼ばれる車載用ナビゲーションシステムは車を運転する利用者の生活にとって欠かせないものとなっている。このようなナビゲーションシステムでは、住所、施設名称、電話番号などから目的地を設定し、その設定された目的地に対し最適経路を設定して、経路案内を行う機能を備えている。また、これらの従来技術では、目的地候補（候補地）が複数あった場合には、リストの形で複数の候補地をテキスト表示するものがある。
【０００３】
一方、他の従来例では、各地点に至るまでの所要時間を使って、目的地の候補となる複数の候補地を絞り込む絞り込み検索の技術が提案されている。これによれば、ユーザが望む所要時間に応じて複数の候補地を提示することが可能となり、所要時間を考慮した目的地検索が可能となる。   
他の従来技術では、所定の地点（例えば、自車位置）を中心とする同心円又は円弧を地図上に描いて距離表示を行う技術が開示されている。これによれば、所定の地点を中心とした地図上での大まかな距離を、直感的に、かつ、容易に把握することが可能となる。   
【先行技術文献】
【特許文献】
【０００４】
【特許文献１】特開平１１−３５１９０２号公報
【特許文献２】特開２０００−３０５４５２号公報
【特許文献３】特開２００４−２９４３０１号公報
【発明の概要】
【発明が解決しようとする課題】
【０００５】
前記従来技術では、ユーザが希望する複数の目的地候補を検索・抽出して表示装置に表示し、これらの候補の中から目的地を決定して、その目的地に至る経路を取得することができる。しかし、これらの検索では、ユーザが入力する検索条件に合致する目的地候補、即ち、１つまたは複数の条件に合致する施設候補を抽出するものである。例えば、食事ができて映画が見える１つの特定の施設を検索対象とするものである。
【０００６】
しかしながら、ユーザが休日にドライブする場合は、東北方面で、1時間ぐらいで行けて、美味しいものが食べれて、遊園地も行きたいなどの曖昧な目的を希望する場合も多く、このような曖昧検索に対応できるナビゲーションシステムが望まれる。特に、このような曖昧検索では、例えば、食事施設と遊園地施設が必ずしも１つの施設である必要は無く、これらが近接している地域であれば足りる。
【０００７】
そこで、この発明の目的とするところは、ユーザの多様なニーズに対応する目的地エリア候補を提供して、円滑なナビゲーションを可能にするナビゲーション管理サーバの情報提供方法を提供することにある。
【課題を解決するための手段】
【０００８】
本発明に係るナビゲーション管理サーバの情報提供方法は、前記目的を達成するために、ルート検索部を備えたナビ管理制御部と、地図情報管理データベースと会員管理データベースと施設検索データベースを格納する記憶装置とを備えてインターネット上に開設し、通信回線を介して接続されるモバイル端末から、認証番号とスタート地点の座標位置に基くアクセスを受け付けて、複数の目的地の検索条件を入力する検索入力画面を前記モバイル端末に出力し、前記検索入力画面に入力された検索条件でのエリア検索を受け付けて、前記検索条件に合致する複数の施設が特定のエリアに隣接する目的地エリア候補を抽出し、前記抽出した目的地エリア候補が、当該目的地エリア候補へのルート情報とともに地図上にマッピングされた検索出力画面を生成し、この生成された検索出力画面を前記モバイル端末に出力する。
【発明の効果】
【０００９】
本発明によれば、ユーザが希望する複数の施設が集まっている地域が利用者に提供されるので、ユーザの多様なニーズに対応することができる。
【図面の簡単な説明】
【００１０】
【図１】第１実施例に係るナビゲーションシステムのシステム構成図である。
【図２】第１実施例に係るナビ管理サーバの動作フロー図である。
【図３】第１実施例に係る画面遷移図である。
【図４】第１実施例に係る画面遷移図である。
【図５】第１実施例に係る画面遷移図である。
【図６】第１実施例に係る画面遷移図である。
【図７】第１実施例に係る画面遷移図である。
【図８】第１実施例に係る画面遷移図である。
【図９】第１実施例に係る画面遷移図である。
【図１０】第１実施例に係る画面遷移図である。
【図１１】第１実施例に係る画面遷移図である。
【図１２】第２実施例に係る画面遷移図である。
【図１３】第２実施例に係る画面遷移図である。
【発明を実施するための形態】
【００１１】
以下、図１から図１３を参照して、この発明に係るナビゲーション装置を含むナビゲーションシステムを具体的に説明する。ここで、図１から図１１が第１実施例を示し、図１２と図１３が第２実施例を示す。なお、なお、同一部位や矢印などは同一符号をもって示し重複した説明を省略する。
（第１実施例）
先ず、図１を参照して、この実施例に係るナビゲーションシステムを具体的に説明する。ここで、図１は、この実施例に係るナビゲーションシステムのシステム構成図である。
【００１２】
先ず、符号１で総括的に示すナビゲーションシステムは、クレードル１５０を介して利用者の車両１７０に設置されるカーナビゲーション端末（モバイル端末という）１００と、利用者の自宅などに設置されて各種の情報を取得できる自宅端末９０と、この自宅端末９０とモバイル端末１００に有線あるいは無線の通信網８０を介して各種の情報を提供するナビゲーション管理サーバ（以下ナビ管理サーバという）２０と、少なくともモバイル端末１００やナビ管理サーバ２０に道路事情を提供する道路情報提供サーバ７０とを含んで構成される。
【００１３】
この実施例に係るモバイル端末１００は、携帯可能な薄い筐体１０１内に、このモバイル端末１００を統括的に制御する端末制御部１１０と、カメラ部１１１と、このモバイル端末１００を操作するための操作部１１２と、全地球測位システム（ＧＰＳ）を用いたＧＰＳ部１１３と、通信網８０と接続するための通信部１１４と、各種の情報を表示する薄型の表示部１２０と、地図情報を格納した記憶部１１５とを含んで構成される。前記操作部１１２は、表示部１３０の前面に配置されるタッチパネル１１６と、筐体１０１の外面に設けられる複数のハードキー１１７とを含んで構成される。この他、このモバイル端末１００には、テレビチューナやＤＶＤ再生装置を接続することができる。
【００１４】
このモバイル端末１００は、ＧＰＳ部１１３を介して、自身の位置情報を判定し、この位置を表示部１３０に表示される地図上に表示することができる。したがって、このモバイル端末１００を携帯する利用者は、自身の位置をこのモバイル端末１００の表示部１３０に表示される地図で把握することができる。なお、この実施例では、端末制御部１１０が、ＧＰＳ部１１３を介して取得した位置情報に基づいて、記憶装置１１５に格納された地図を検索し、この検索された地図上に自身の位置を表示することができるが、通信部１１４を介して接続されるナビ管理サーバ２０からナビゲーション情報を取得することもできる。即ち、前記ナビ管理サーバ２０は、ルート検索部２１を備えたナビ管理制御部２２と、地図情報管理データベース２３と会員管理データベース２４及び施設検索データベース２５を格納する記憶装置２６とを備えている。したがって、モバイル端末１００からの目的地までのルート情報の検索要求に基づいて、このモバイル端末１００にルート情報を提供することができる。
【００１５】
なお、この実施例のモバイル端末１００は、目的地までのルートを前記ナビ管理サーバ２０に依頼して、その検索ルートを取得し、この取得したルートに基づいてナビゲーションを行うシステムで説明する。しかし、これに限定されるものではない。つまり、このモバイル端末１００の端末制御部１１０に図示しないルート検索部を備え、このルート検索部で検索したルートに基づいてナビゲーションを行うようにしても良い。
【００１６】
また、このモバイル端末１００は、通信部１１４を介して、各種の情報提供サイト７５に接続することで、通常の携帯電話や情報端末装置のように、各種の情報を取得して、これを表示部１３０に表示することもできる。
【００１７】
一方、自宅端末９０は、通信網８０を介してナビ管理サーバ２０にアクセスし、モバイル端末１００と同様に、目的地までの検索要求を行うことができ、これにより目的地までのルート情報を取得することができる。この実施例の自宅端末９０は、極一般的なパーソナルコンピュータやモバイル端末で構成することができる。即ち、自宅端末９０は、図示しない制御装置と記憶装置と表示装置と入力装置と通信装置とを備えてナビ管理サーバ２０に接続されている。また、この自宅端末９０では、目的地までのルート情報をナビ管理サーバ２０に格納し、このルート情報をモバイル端末１００にダウンロードして利用することができる。
【００１８】
そして、このナビゲーションシステム１の大きな特徴の１つは、利用者が望む複数の目的地（施設）が隣接する目的地エリア候補２１０を利用者に提供する点にある。
【００１９】
即ち、従来のナビゲーションシステムの検索では、住所、施設名称、電話番号などの検索条件から特定の目的地を抽出するものである。しかも、検索条件に合致するものがあれば、それらを複数表示して特定の目的地を選択する方法を採用している。あるいは、1時間ぐらいで行けて、美味しいものが食べれて遊べる特定の１ケ所の施設を検索するものである。つまり、従来のナビゲーションシステムでは、複数の検索条件に合致する特定の１つの施設（場所）を検索することが主眼となっている。したがって、この従来の検索システムでは、１つの場所に利用者が希望する複数の施設が集中した大型店しか検索することができない。例えば、検索条件に合致する２つの施設が、１本の道路を隔てて隣接して設置されているものは検索することができない。
【００２０】
そこで、本ナビゲーションシステム１では、特定の範囲に希望する施設が隣接する目的地エリア候補２１０を抽出し、これを地図上に表示して利用者に提供することで、ユーザの多様なニーズに対応するものである。具体的には、図１に示すように、利用者が望む検索条件に合致する目的地を施設検索データベース２５から抽出し、これら抽出された目的地（施設）が予め設定される範囲あるいは指定する範囲に含まれる目的地エリア候補２１０を抽出し、これを表示部１２０に表示される地図上に選択領域として表示する。
【００２１】
例えば、図１の検索出力画面２００は、スタート地点Sから東方面の１時間から２時間の間で車で行けるところで、おいしいものが食べれる施設と、買い物ができる施設が３ｋｍ圏内にある目的地エリア候補２１０を地図上に表示した状態を示している。この検索出力画面２００によれば、利用者は、希望する検索条件に合致する目的地エリア候補２１０を一目で把握することができる。
【００２２】
また、このエリア検索は、モバイル端末１００または自宅端末９０から通信網８０を介してナビ管理サーバ２０にアクセスし行うことができる。ナビ管理サーバ２０は、利用者のアクセスに基いて、検索入力画面２５０（図５参照）を提供し、この検索入力画面２５０で指定される検索条件に基いて地図情報管理データベース２３から検索条件に合致する施設を抽出し、更に、これら施設の位置情報から特定の範囲に含まれる目的地エリア候補２１０を抽出し、この抽出された目的地エリア候補２１０が地図上にマッピングされた検索出力画面２００を利用者に提供するものである。
【００２３】
この検索出力画面２００では、目的地エリア候補２１０を選択することで、この選択された目的地エリア候補２１０の詳細地図情報を表示する拡大検索出力画面２７０（図９参照）を表示することができる。そして、この拡大検索出力画面２７０から目的地として決定することもできるし、元の検索出力画面２００に戻して、他の目的地エリア候補２１０の拡大検索出力画面２７０を表示することができる。
【００２４】
また、このナビゲーションシステム１の大きな特徴の他の１つは、目的地の位置を示す検索条件として方面検索を採用した点にある。
【００２５】
即ち、従来技術においては、目的地を選択するにあたり、都道府県名や住所などで目的地を絞る手法を採用している。しかし、特定の目的地を意識しないでドライブする利用者にとって、明確に区分けされる都道府県名や住所はあまり重要ではなく、東北方面や伊豆方面といったスタート位置Sを基点とする方向（方面）を意識するケースが多々見られる。
【００２６】
そこで、この実施例では、スタート位置Sを中心に東西南北の４方面を検索対象としている。具体的には、ナビ管理サーバ２０は、スタート位置Sを基点に、東西南北に当分割する方位分割線Pを仮想的に算出し、利用者から指定される「東」などの１つの指定方面領域２２０に合致する目的地（目的地エリア候補２１０）を抽出する。
【００２７】
そして、このナビゲーションシステム１の大きな特徴の他の１つは、検索出力画面２００では、スタート位置Sを中心に、方位分割線Pで分割される東西南北の４方面を表示して、利用者が指定した指定方面領域２２０に抽出した目的地エリア候補２１０を表示する点にある。これにより、利用者は、検索出力画面２００を見ることにより、自分の検索条件を把握しながら、その検索結果を一目で見ることができる。
【００２８】
また、このナビゲーションシステム１の大きな特徴の他の１つは、前記指定方面領域２２０と到達時間範囲とを組み合わせて、ある特定の領域に含まれる目的地エリア候補２１０を抽出する点にある。
【００２９】
即ち、東西南北の４方面の１つの指定方面領域２２０のみの検索条件で利用者が希望する施設を検索すると膨大な件数となり、ナビ管理サーバ２０にかかる負担が大きいものとなる。また、利用者においても、日帰りなのか宿泊なのかなどで、目的地までの目安の到達時間をある程度気にするものである。そこで、この実施例では、前記指定方面領域２１０と到達時間範囲とを組み合わせて、目的地（目的地エリア候補２１０）の抽出範囲を指定するようにしている。図１の検索出力画面２００では、「東」の指定方面領域２２０であり、到達時間が１時間から２時間となる目的地エリア候補２１０が５箇所選択された状態を示している。これらの目的地エリア候補２１０は、到達時間の目安が吹出し内に示されている。
【００３０】
次に、図２の動作フロー図を基に、図３から図１１の画面遷移図を参照して、このナビゲーションシステム１の使用方法を説明する。ここで、図２はナビ管理制御部の動作フロー図である。図３から図１１はモバイル端末の画面遷移図である。
【００３１】
このナビゲーションシステム１では、モバイル端末１００または自宅端末９０から通信網８０を介してナビ管理サーバ２０にアクセスし、利用者が望む検索条件に合致する目的地エリア候補２１０を取得し、この目的地エリア候補２１０から目的地へのルート情報を取得することができる。ここで、ナビ管理サーバ２０は、ナビ管理制御部２２が記憶装置２６に格納される地図情報管理データベース２３や会員管理データベース２４及び施設検索データベース２５から情報を取得して、モバイル端末１００または自宅端末９０に提供する。ここで、モバイル端末１００及び自宅端末９は、ナビ管理サーバ２０の記憶装置２６に抽出した目的地エリア候補２１０のルート情報を格納することができる。そして、モバイル端末１００は、この格納したルート情報をダウンロードして、自身のルート情報として活用することができる。ここでは、モバイル端末１００での操作方法を説明する。
【００３２】
先ず、図３において、モバイル端末１００の端末制御部１１０は、図示しないメニュー操作がなされると、図３に示すメニュー画面４００を表示部１２０に表示する。このメニュー画面４００は、目的地選択ボタン４０１と音楽選択ボタン４０２とテレビ選択ボタン４０３と各種の設定を可能にする設定選択ボタン４０３の操作を行うことができる。この端末制御部１１０は、この４つの選択ボタンのいずれかがタッチパネル１１６を介して選択されると、該当する図示しない画面を表示部１２０に表示して、各種の操作やテレビや音楽の視聴を行うことができる。
【００３３】
ここでは、目的地選択ボタン４０１が選択されたとする。端末制御部１１０は、目的地選択ボタン４０１が選択されると図４に示す目的地メニュー画面４１０を表示する。この目的地メニュー画面４１０は、自宅へ行く、あるいは住所で探すなどの検索条件を設定する検索メニュー選択部４１１と、この検索メニュー選択部４１１をスクロールさせるための一対のスクロールキー４１２と、目的地メニュー画面４１０に戻るための戻るキー４１３が設けられている。端末制御部１１０は、検索メニュー選択部４１１の１つの選択部が選択されると対応する図示しない入力画面を表示部１２０に表示する。
【００３４】
しかし、「複数条件で探す」の選択部４１４が選択されると、自身のID情報とＧＰＳ部１１３で取得した自身の座標情報を通信部１１４を介してナビ管理サーバ２０に送信する。この実施例では、検索負荷が大きい「複数条件で探す」の検索をナビ管理サーバ２０に依頼し、他の検索については、端末制御部１１０が記憶部１１５に格納される地図情報を参照して検索する。もちろん、他の検索についてもナビ管理サーバ２０に依頼しても良いし、あるいは、モバイル端末１００自身ですべての検索を実行しても良い。
【００３５】
さて、図２において、ナビ管理サーバ２０のナビ管理制御部２２は、モバイル端末１００からのアクセスがあると、送信されたID情報と会員管理データベース２４とを照合し（ステップ５０１）、照合されれば、図５に示す検索入力画面２５０をモバイル端末１００に送信して、その入力操作を受け付ける（ステップ５０３）。
【００３６】
この検索入力画面２５０では、複数条件で目的地を探すエリア検索の検索条件を入力することができる。この実施例では、方面設定部２５１と、到達時間範囲設定部２５２と、施設設定部２５４と、施設数設定部２５７と、有料道路設定部２５８と、領域候補のエリア半径設定部２５９と、検索を実行する検索実行キー２６０と、戻るキー２６１が設けられている。
【００３７】
方面設定部２５１は、四角形の各角を斜めに結んで４分割される「東」「西」「南」「北」の各選択キーから構成される。即ち、三角形の４つのボタンが四角形を成すように組み合わされて配置されている。図４では、「東」が選択された状態を示している。到達時間範囲設定部２５２は、時間軸上に最短時間と最長時間とを設定する一対のスライドボタン２５３が設けられており、この一対のスライドボタン２５３をタッチ操作でスライド移動させることで、目的地までの到達時間範囲を設定することができる。この図４では、１．５時間から２時間の範囲で車で行ける範囲を設定している。
【００３８】
ここで、この実施例のモバイル端末１００は、初期値として車両１７０に設置さた条件で設定されている。この初期値は、メニュー画面４００の設定選択ボタン４０３から選択表示される図示しない設定画面で変更することができる。もちろん、この検索入力画面２５０に「車」と「電車」などの交通手段を設定する図示しない設定部を設けるようにしても良い。また、自宅端末９０では、スタート位置Sの入力欄を設けるようにする。
【００３９】
施設設定部２５４は、施設の種別を選択する施設選択部２５５と、その詳細条件の詳細選択部２６２とが対となって、複数も受けられている。この実施例では、「食べる」「遊ぶ」「買い物」「泊まる」の４つの施設の種別から設定することができる。即ち、施設選択部２５５を選択（レ点）すると、その詳細条件を詳細選択部２６２の操作で設定することができる。詳細選択部２５６が操作されると、図６の詳細設定画面２８０を表示する。
【００４０】
この詳細設定画面２８０では、例えば、食べる施設として「イタリアン」「ファミレス」などの店の種類を施設詳細選択部２８１から選択することができる。施設詳細選択部２８１は一対のスクロールキー２８２の操作でスクロールさせることができ、OKキー２８３で決定操作をすることで施設の詳細を設定することができ、また戻るキー２８４で詳細情報を設定することなく、検索入力画面２５０に戻すことができる。この詳細設定画面２８０は施設の種別に対応して複数設定されている。
【００４１】
このOKキー２８３が操作されると、画面は元の検索入力画面２５０に戻り、その設定内容は、選択確認表示部２５６に表示される。この施設設定部２５４で設定される施設は、OR条件で検索されるものである。したがって、図４では、「ラーメン屋」と「家具屋」が検索条件となっているので、それぞれの施設を検索することとなる。
【００４２】
施設数設定部２５７は、エリア半径設定部２５９で設定される目的地エリア候補２１０内に含まれる施設数の数を設定する入力欄である。この実施例では、エリア半径設定部２５９で設定される目的地エリア候補２１０内に含まれる施設数の密度を検索する。この図５の設定では、半径３ｋｍの目的地エリア候補２１０内に、「ラーメン屋」または「家具屋」が１０件以上あることが検索条件となる。なお、この実施例のエリア半径設定部２５９は、「小（１ｋｍ）」「中（３ｋｍ）」「大（５ｋｍ）」のいずれかを選択することができる。
【００４３】
また、有料道路設定部２５８は、有料道路を利用するか、利用した場合の料金範囲を検索条件として設定することができる。
【００４４】
この実施例では、検索入力画面２５０と検索出力画面２００の画面操作は、モバイル端末１００の端末制御部１１０が仲介する形でナビ管理制御部２２が行う。したがって、利用者は、モバイル端末１００の表示部１２０に表示される検索入力画面２５０で希望する検索条件を入力して検索実行キー２６０を操作することで、これらの検索をナビ管理サーバ２０に操作指示することができる。
【００４５】
図２に戻り、ナビ管理制御部２２は、前記検索入力画面２５０で指示された検索条件を受け付ける（ステップ５０５）と、施設検索データベース２５を参照して、エリア検索を実行する（ステップ５０７）。このエリア検索では、以下の検索を実行する。
（１）モバイル端末１００から取得した自車位置（スタート位置S）からこのスタート位置Sを基点に、東西南北に当分割する方位分割線Pを仮想的に算出し、方面設定部２５１で設定される指定方面領域２２０に含まれる座標情報を算出する。
（２）有料道路設定部２５８の選択の有無に基いて、到達時間範囲設定部２５２で設定される時間内で行け、かつ指定方面領域２２０に含まれる対象エリアを算出する。
（３）施設設定部２５４で選択された施設を前記対象エリア内で抽出する。
（４）対象エリア内で抽出された施設が、エリア半径設定部２５９で設定される大きさのエリア内に、施設数設定部２５７で設定される施設の個数があるエリアを抽出する。
【００４６】
そして、ナビ管理制御部２２は検索条件に合致する目的地エリア候補２１０があるか否かを判定し（ステップ５０９）、抽出されれば、抽出された目的地エリア候補２１０内に含まれる施設の中心位置を算出して、その中心位置を中心にエリア半径設定部２５９で設定される大きさの円形の目的地エリア候補２１０の算出と、抽出された目的地エリア候補２１０へのルートを算出する（ステップ５１１）。そして、スタート位置Sを中心に、前記対象エリアが含まれる大きさの地図を地図情報管理データベース２３から取得して、図７に示す検索出力画面２００を生成する（ステップ５１３）。
【００４７】
図７に示す検索出力画面２００では、画面中心にスタート位置Sが設定され、このスタート位置Sを中心に方位分割線Pが設定されて、地図が東西南北の４方面に分割されている。そして、利用者が指定した指定方面領域２２０が識別可能に表示され、その指定方面領域２２０に抽出された地域候補２１０とそのルート情報が表示される。この検索出力画面２００で、画面上部が「北」を現すように磁石２０１が表示されている。また、画面下部には、検索入力画面２５０で設定した検索条件の検索条件確認部２０３が設けられている。
【００４８】
図２に戻り、ナビ管理制御部２２は、ステップ５０９において、前記エリア検索で目的地エリア候補２１０が抽出できなかった場合は、目的地エリア候補２１０とそのルート情報が表示されず、「抽出されませんでした」のガイダンスを表記した図８に示す検索出力画面２００ａを生成し、モバイル端末１００に出力する（ステップ５３１）。この検索出力画面２００ａはやり直しボタン２０２の操作で、元の検索入力画面２５０に戻すことができる（ステップ５３３）。
【００４９】
ナビ管理制御部２２は、ルート検索で、目的地エリア候補２１０が抽出された場合は、目的地エリア候補２１０が選択されたか否か（ステップ５１５）と、やり直しボタン２０２が操作されたか否か（ステップ５２３）を監視する。
【００５０】
目的地エリア候補２１０が選択されると、図９に示す選択された目的地エリア候補２１０の拡大検索出力画面２７０を生成してモバイル端末１００に出力する（ステップ５１７）。この拡大検索出力画面２７０は、選択された目的地エリア候補２１０が表示画面一杯に拡大表示される。この拡大表示される目的地エリア候補２１０には、抽出された施設が、その座標に従って表示される。そして、この拡大検索出力画面２７０には、この目的地エリア候補２１０を経由地とする経由地設定ボタン２７１と、目的地にする目的地設定ボタン２７２と、元の検索出力画面２００に戻す戻るボタン２７３が設けられている。ナビ管理制御部２２は、経由地設定ボタン２７１が設定されると（ステップ５１９）、この目的地エリア候補２１０を経由地として記憶装置２６に格納する（ステップ５３５）とともに、元の目的地エリア候補２１０を経由地を反映させた検索出力画面２００を再表示させて（ステップ５３７）、ステップ５１５に移行させる。
【００５１】
また、目的地設定ボタン２７２が設定されると（ステップ５２１）、図１０に示す、目的地として設定された目的地エリア候補２１０のみが表示される検索出力画面２００ｂを表示する（ステップ５３９）。この検索出力画面２００ｂには、ナビゲーションをスタートさせるスタートボタン２３０と、この検索出力画面２００ｂを記憶装置２６に格納して後でダウンロードするために利用する登録ボタン２３１と、元の検索出力画面２００に戻すやり直しボタン２３２とが設けられている。
【００５２】
格納操作を受け付けると（ステップ５４１）、格納するための図示しない設定画面を表示し（ステップ５４２）、処理を終了する（ステップ５４７）。また、スタート操作を受け付けると（ステップ５４３）、目的地エリア候補２１０までのナビゲーションをスタートさせる（ステップ５４４）。更に、戻る操作を受け付けると、ステップ５０５に移行させる。
【００５３】
さて、この実施例では、検索出力画面２００において、方面設定部２５の設定内容を変更することができる。これを図１１で説明する。ナビ管理制御部２２は、方位分割線Pがタッチ操作が成されたか否かを監視している。そして、方位分割線Pがタッチ操作されると、スタート位置Sから外側に伸びタッチ操作された方位分割線Pの１つを活性化状態として、そのドラッグ操作にしたがって、スタート位置Sを中心に回転させる。
【００５４】
例えば、図１１の検索出力画面２００は、今まで設定されていた「東」のみの指定方面領域２２０が、前記操作で、「南」に拡張された状態を示している。ナビ管理制御部２２は、指定方面領域２２０が拡張されると、スタート位置Sを基点に、変更された方位分割線Pを仮想的に算出し、この拡張された指定方面領域２２０に含まれる座標情報を算出し、この算出結果に基いてエリア検索を再検索する。図１１では、この拡張捜査の結果、目的地エリア候補２１０が１ケ所追加された状態を示している。
（第２実施例）
次に、図１２と図１３を参照して、この発明に係るナビゲーションシステムの第２実施例を説明するここで、図１１が検索入力画面図である。図１２が検索出力画面図である。なお、ここでは、第１実施例と重複する部分は説明を省略する。
【００５５】
図１２において、この第２実施例のシステムの特徴は、車両（クルマ）での検索と、電車と徒歩での検索をフラグ選択部２６６の選択操作で選べる点にある。即ち、この実施例に係る検索入力画面２６５では、図５で説明した検索入力画面２５０の入力内容と同じ「クルマ」と、これと略同じ「電車＋徒歩」の２シート設けられている。このシートの選択はフラグ選択部２６６の選択操作で設定することができる。ナビ管理制御部２２は、２つのシートのいずれかが選択されると、選択された手段で検索を行う。なお、この実施例では有料道路設定部２５８に変えて電車代入力部２６７を設けている。
【００５６】
図１３は、この第２実施例に係る検索出力画面２４０を示している。この検索出力画面２４０は、図７と同様な出力形式となっている。ここでは、「電車＋徒歩」の検索結果を示している。図からわかるように、このエリア検索では目的地エリア候補２１０が２ケ所抽出され、この２ケ所に関するスタートＳから目的地エリア候補２１０までの電車を使ったルートが表示される。なお、「電車＋徒歩」の場合は、電車の乗車時間と徒歩の時間との関係があるので、エリア半径設定部２５９で設定される目的地エリア候補２１０は最大の大きさと捉えるようにする。この手法を使うと、例えば、近い駅ａの場合は、徒歩の時間との関係で、ドーナツ状の目的地エリア候補２１０となることもある。また、遠い駅ｂの場合は、徒歩の時間が少なくなるので、目的地エリア候補２１０の大きさも小さなものとなる。
【００５７】
このように、この実施例に係るナビゲーション管理サーバ（ナビ管理サーバ）は、ルート検索部を備えたナビ管理制御部と、地図情報管理データベースと会員管理データベースと施設検索データベースを格納する記憶装置とを備えてインターネット上に開設され、通信回線を介して接続されるモバイル端末から、認証番号とスタート地点の座標位置に基くアクセスを受け付けて、複数の目的地の検索条件を入力する検索入力画面を前記モバイル端末に出力し、前記検索入力画面に入力された検索条件でのエリア検索を受け付けて、前記検索条件に合致する複数の施設が特定のエリアに隣接する目的地エリア候補を抽出し、前記抽出した目的地エリア候補が、当該目的地エリア候補へのルート情報とともに地図上にマッピングされた検索出力画面を生成し、この生成された検索出力画面を前記モバイル端末に出力する情報提供方法を採用している。
【００５８】
この場合、前記検索条件に、スタート位置を中心に東西南北の４方面の１つを検索対象とする方面設定部を含むようにし、前記ナビゲーション管理サーバが、前記検索条件を受け付けると、スタート位置を基点に、東西南北に当分割する方位分割線を仮想的に算出し、前記検索条件で設定される１つの指定方面領域に合致する目的地を抽出するとより有効である。
【００５９】
また、前記検索出力画面に、スタート位置を中心に、方位分割線で分割される東西南北の４方面を表示し、指定した前記指定方面領域に抽出した目的地エリア候補を表示するとより有効である。
【００６０】
また、前記検索条件に、施設までの到達時間範囲が含むようにし、前記ナビゲーション管理サーバが、前記到達時間範囲と前記指定方面領域とを組み合わせて、ある特定の領域に含まれる目的地エリア候補を抽出するとより有効である。
【００６１】
更に、前記検索出力画面に、前記方位分割線をスタート位置を基点に回転させて前記指定方面領域の範囲を変更可能にするとより有効である。
【００６２】
加えて、前記検索条件に、車両と電車とを識別する交通手段が含むようにし、前記ナビゲーション管理サーバが前記交通手段に基いて目的地エリア候補を抽出するとより有効である。
【符号の説明】
【００６３】
１…ナビゲーションシステム、２０…ナビ管理サーバ、２１…ルート検索部、２２…ナビ管理制御部、２３…地図情報管理データベース、２４…会員管理データベース、２５…施設検索データベース、２６…記憶装置、７０…道路情報提供サーバ、７５…情報提供サイト、８０…通信網、９０…自宅端末、１００…モバイル端末、１０１…筐体、１１０…端末制御部、１１１…カメラ部、１１２…操作部、１１３…ＧＰＳ部、１１４…通信部、１２０…表示部、１１５…記憶部、１１６…タッチパネル、１１７…ハードキー、１５０…クレードル、１７０…車両、２００…検索出力画面、２０１…磁石、２０２…やり直しボタン、２０３…検索条件確認部、２１０…目的地エリア候補、２２０…指定方面領域、２３０…スタートボタン、２５０…検索入力画面、２５１…方面設定部、２５２…到達時間範囲設定部、２５３…スライドボタン、２５４…施設設定部、２５５…施設選択部、２５６…選択確認表示部、２５７…施設数設定部、２５８…有料道路設定部、２５９…エリア半径設定部、２６０…検索実行キー、２６１…戻るキー、２６２…詳細選択部、２６５…検索入力画面、２６６…フラグ選択部、２６７…電車代入力部、２７０…拡大検索出力画面、２７１…経由地設定ボタン、２７２…目的地設定ボタン、２８０…詳細設定画面、２８１…施設詳細選択部、２８２…スクロールキー、２８３…OKキー、４００…メニュー画面、４０１…目的地選択ボタン、４０２…音楽選択ボタン、４０３…テレビ選択ボタン、４０３…設定選択ボタン、４１１…検索メニュー選択部、４１２…スクロールキー、４１３…戻るキー、Ｓ…スタート位置、Ｐ…方位分割線。
【図１】
0005573068.tif 000002
【図２】
0005573068.tif 000003
【図３】
0005573068.tif 000004
【図４】
0005573068.tif 000005
【図５】
0005573068.tif 000006
【図６】
0005573068.tif 000007
【図７】
0005573068.tif 000008
【図８】
0005573068.tif 000009
【図９】
0005573068.tif 000010
【図１０】
0005573068.tif 000011
【図１１】
0005573068.tif 000012
【図１２】
0005573068.tif 000013
【図１３】
0005573068.tif 000014